(57)【特許請求の範囲】
【請求項１】
複数の被監視対象から所定の情報を収集して該収集情報を通信回線を介して上位装置に送信するとともに、前記上位装置からの前記収集情報の処理結果情報を通信回線を介して受信する複数の中位装置を備えた階層型情報集配信システムにおいて、
前記中位装置と前記上位装置との間の階層に設けられ、複数の中位装置を代表する代表装置と、
前記中位装置と前記上位装置との間でそれぞれ情報を直接送受信する第１の集配信経路と、
前記代表装置の管轄下の中位装置からの収集情報を該代表装置を介して前記上位装置に送信するとともに、前記上位装置から情報を該代表装置を介して管轄下の中位装置に配信する第２の集配信経路と
を備え、
前記第１の集配信経路に障害が発生した場合、該当中位装置は、前記第２の集配信経路を用いて前記上位装置との間の情報の送受信を行い、前記第２の集配信経路に障害が発生した場合、前記代表装置は、管轄下の中位装置を介して前記上位装置との間の情報の送受信を行い、前記第１の集配信経路および前記第２の集配信経路に障害が発生した場合、該当中位装置は、前記代表装置、該代表装置の管轄下で前記第１の集配信経路に障害が発生していない中位装置を介して前記上位装置との間の情報の送受信を行うことを特徴とする階層型情報集配信システム。
【請求項２】
前記代表装置は、
前記上位装置からの前記処理結果情報が所定時間経過しても受信されない場合に当該代表装置の管轄下の中位装置に対し、未受信メッセージを送信する手段
を設けたことを特徴とする請求項１記載の階層型情報集配信システム。
【請求項３】
前記代表装置は、
前記上位装置の一部の機能
を具備し、
前記上位装置の障害時に前記代表装置が前記上位装置の一部の機能を代行する
ことを特徴とする請求項１記載の階層型情報集配信システム。
【発明の詳細な説明】
【０００１】
【発明の属する技術分野】
本発明は、階層型情報集配信システムに係り、特に、災害情報等の集配信に好適なシステムに関するものである。
【０００２】
【従来の技術】
従来において、河川、海岸、道路、港湾、ダム等の状況を把握し、災害の防止、拡大を防ぎ、さらに復旧支援を行うために、図１０に示すような階層構造の情報集配信システムがある。
【０００３】
この従来の情報集配信システムは、状況把握対象の河川、海岸、道路、港湾、ダム等の必要個所に設置した各種の情報収集装置６１からの収集情報を、所定の行政区画単位あるいは監視区画単位に設置される中位局６２−１〜６２−ｎに専用回線または公衆回線を介して収集する。
【０００４】
そして、各中位局６２−１〜６２−ｎで必要な集計処理などを施し、例えば都道府県単位で設置される上位局６３に専用回線または公衆回線を介して送信し、上位局６３において各地域や状況把握対象の現在状況、災害の拡大または縮小状況の予測を行う。
【０００５】
ここで、何等かの対策を実施すべき場所が発見されたならば、該当する地域を管轄する中位局および中位局の下位に属する下位局６４に対し、必要な指示情報を配信し、さらには隣接区域の中位局および下位局に対して救援などの指示を配信するものである。
【０００６】
この場合、各中位局６２−１〜６２−ｎは、例えば土木事務所等の行政機関内に設置される。
【０００７】
【発明が解決しようとする課題】
ところが、図１０に示したような単純なピラミッド型の情報集配信システムにあっては、上位局６３内において障害が発生した場合には、全ての地域を網羅した状況把握が不可能になり、中位局単位での状況把握しかできず、災害が隣接の中位局の管轄地域に拡大しているような情況であっても、そのことを隣接地域の中位局に連絡することができないという問題がある。
【０００８】
また、上位局と中位局とを結ぶ専用回線あるいは公衆回線に障害が発生した場合、その中位局が収集した情報が上位局に送信されないため、その中位局が管轄している地域の現状が把握できなくなり、災害の拡大または縮小の予測が不可能になるという問題がある。
【０００９】
これらの問題は、各中位局と上位局とを結ぶ回線を複数回線にし、一方を通常回線，他方をバックアップ回線にしておくことにより回避することができる。しかし、災害が発生しない通常状態でもバックアップ回線を確保しておく必要があるため、全体としての設備が過剰なものとなり、かつ維持コストも嵩むという問題があり、好ましくない。
【００１０】
本発明は、回線等に障害が発生した場合または各装置に障害が発生した場合でも、必要最低限の設備で全体の状況や隣接地域の状況を把握することができる階層型情報集配信システムを提供することを目的とする。
【００１１】
【課題を解決するための手段】
上記目的を達成するため、請求項１記載の発明は、複数の被監視対象から所定の情報を収集して該収集情報を通信回線を介して上位装置に送信するとともに、前記上位装置からの前記収集情報の処理結果情報を通信回線を介して受信する複数の中位装置を備えた階層型情報集配信システムにおいて、前記中位装置と前記上位装置との間の階層に設けられ、複数の中位装置を代表する代表装置と、前記中位装置と前記上位装置との間でそれぞれ情報を直接送受信する第１の集配信経路と、前記代表装置の管轄下の中位装置からの収集情報を該代表装置を介して前記上位装置に送信するとともに、前記上位装置から情報を該代表装置を介して管轄下の中位装置に配信する第２の集配信経路とを備え、前記第１の集配信経路に障害が発生した場合、該当中位装置は、前記第２の集配信経路を用いて前記上位装置との間の情報の送受信を行い、前記第２の集配信経路に障害が発生した場合、前記代表装置は、管轄下の中位装置を介して前記上位装置との間の情報の送受信を行い、前記第１の集配信経路および前記第２の集配信経路に障害が発生した場合、該当中位装置は、前記代表装置、該代表装置の管轄下で前記第１の集配信経路に障害が発生していない中位装置を介して前記上位装置との間の情報の送受信を行うことを特徴とする。
【００１２】
また、請求項２の発明は、請求項１の発明において、前記代表装置は、前記上位装置からの前記処理結果情報が所定時間経過しても受信されない場合に当該代表装置の管轄下の中位装置に対し、未受信メッセージを送信する手段を設けたことを特徴とする。
【００１３】
また、請求項３記載の発明は、請求項１記載の発明において、前記代表装置は、前記上位装置の一部の機能を具備し、前記上位装置の障害時に前記代表装置が前記上位装置の一部の機能を代行することを特徴とする。
【００１４】
【発明の実施の形態】
以下、この発明に係わる階層型情報集配信システムの一実施の形態を添付図面を参照して詳細に説明する。
【００１５】
図１は、本発明の一実施形態を示すシステム構成図である。
【００１６】
監視対象の河川、海岸、道路、港湾、ダム等の必要個所に設置した各種の情報収集装置１１からの収集情報を、所定の行政区画単位あるいは監視区画単位に設置される中位局１２−１〜１２−ｎで専用回線または公衆回線を介して収集し、各中位局１２−１〜１２−ｎで必要な集計処理などを施し、例えば都道府県単位または国単位で設置される上位局１３に専用回線または公衆回線を介して送信する。
【００１７】
そして、上位局１３において各地域や状況把握対象の現在状況、災害の拡大または縮小状況の予測を行い、何等かの対策を実施すべき場所が発見されたならば、該当する地域を管轄する中位局および中位局の下位に属する下位局１５に対し、必要な指示情報を配信する。
【００１８】
さらには、隣接区域の中位局および下位局に対して救援などの指示を配信するように構成され、さらに、複数の中位局を代表する代表中位局１４−１〜１４−ｍ（ｍ＜ｎ）が設置され、各中位局１２−１〜１２−ｎと上位局１３との間で災害情報等を第１の集配信経路ａで直接送受信すると共に、それぞれ代表中位局１４−１〜１４−ｍが集約した管轄下の中位局の収集情報と上位局１３からの情報を代表中位局１４−１〜１４−ｍを経由する第２の集配信経路ｂで中位局に集配信する構成になっている。
【００１９】
この場合、各中位局１２−１〜１２−ｎは、例えば土木事務所等の行政機関内に設置される。また、上位局１３が国単位で設置され、中位局１２−１〜１２−ｎが都道府県単位、下位局１５が土木事務所等の行政機関単位出設置される。
【００２０】
ところで、この実施形態の階層型情報集配信システムは、従来構成に対して、代表中位局を１４−１〜１４−ｍを経由する第２の集配信経路ｂを設けた点に特徴がある。この場合、各中位局１２−１〜１２−ｎが収集した情報は第１の集配信経路ａと第２の集配信経路ｂの双方に並行して送信され、同様に、上位局１３から配信する情報は、第１の集配信経路ａと第２の集配信経路ｂの双方に平行して配信される。
【００２１】
代表中位局１４−１〜１４−ｍは、上位局１３と同様に、管轄下の中位局が収集した監視対象の情報を集計処理する機能、集計結果に基づいて災害の拡大または縮小の予測処理機能、集計結果を管轄下の中位局に所定時間間隔で送信する機能など上位局１３の一部機能を備えている。
【００２２】
図２は、中位局１２−ｎ（または代表中位局１４−ｍ）と上位局（または代表中位局）１３の概略構成を示したブロック図である。図２において、中位局１２−ｎ（または代表中位局１４−ｍ）は情報収集装置１１が収集した各種の災害情報を災害情報データベース１２２に逐次格納する情報集配信装置１２１と、オペレータからの指示に応じて指示された区域の災害状況等を画面に表示する情報表示端末１２３と、上位局１３との間で通信回線を介して情報を送受信するためのルータ１２４を備えている。
【００２３】
また、上位局１３は、ルータ１３５を介して中位局１２−ｎ（または代表中位局）から受信した災害情報等を災害情報データベース１３２に監視対象区域別に区分して逐次格納すると共に、各種の指示や集計結果の情報を中位局（または代表中位局）１２−ｎに所定時間間隔で定期的にまたは不定期に配信する情報集配信装置１３１と、全中位局が収集した監視対象の情報を集計処理したり、集計結果を保存する情報処理装置１３３と、オペレータからの指示に応じて指示された区域の災害状況等を画面に表示する情報表示端末１３４とを備えている。
【００２４】
図３（ａ）は、中位局１２−１と上位局１３とを結ぶ第１の集配信経路ａに障害が発生した場合のバックアップ体制を示す説明図である。
【００２５】
破線で図示するように、中位局１２−１と上位局１３とを結ぶ第１の集配信経路ａに障害が発生した場合、中位局１２−１が収集した情報は代表中位局１４−１を経由する第２の集配信経路ｂを介して、同一管轄下の中位局１２−２の情報と集約されて上位局１３に送信される。
【００２６】
また、中位局１２−１に対する上位局１３からの配信情報は代表中位局１４−１を経由する第２の集配信経路ｂを介して中位局１２−１に配信される。
【００２７】
したがって、上位局１３では、中位局１２−１との間の直接回線に障害が発生した場合であっても当該中位局１２−１が収集した情報を確実に受信し、当該地域の災害状況を把握することが可能になる。
【００２８】
図３（ｂ）は、代表中位局１４−１と上位局１３とを結ぶ第２の集配信経路ｂに障害が発生した場合のバックアップ体制を示す説明図である。
【００２９】
破線で図示するように、代表中位局１４−１と上位局１３とを結ぶ第１の集配信経路ａに障害が発生した場合、代表中位局１４−１が集約した情報は１つの中位局１２−１を経由する第１の集配信経路ａを介して、中位局１２−１の情報と集約されて上位局１３に送信される。また、代表中位局１４−１に対する上位局１３からの指示情報等は中位局１２−１を経由して代表中位局１４−１に配信される。
【００３０】
したがって、上位局１３では、代表中位局１４−１との間の回線に障害が発生した場合であっても当該代表中位局１４−１が集約した情報を確実に受信し、当該地域全体の災害状況を把握することが可能になる。
【００３１】
また、代表中位局１４−１自体に何等かの障害あるいは故障が発生したとしても、上位局１３が当該代表中位局１４−１管轄下の中位局１２−１、１２−２の災害情報を集約したり、隣接地域の状況を配信することができる。
【００３２】
図３（ｃ）は、代表中位局１４−１と上位局１３とを結ぶ第２の集配信経路ｂと、中位局１２−１と上位局１３とを結ぶ第１の集配信経路ａの両方に障害が発生した場合のバックアップ体制を示す説明図である。
【００３３】
破線で図示するように、代表中位局１４−１と上位局１３とを結ぶ第２の集配信経路ｂと、中位局１２−１と上位局１３とを結ぶ第１の集配信経路ａの両方に障害が発生した場合、中位局１２−１が収集した情報と代表中位局１４−１が集約した情報は、他の中位局１２−２を経由する第１の集配信経路ａを介して、上位局１３に送信される。また、代表中位局１４−１および中位局１２−１に対する上位局１３からの指示情報等は中位局１２−２を経由して配信される。
【００３４】
したがって、上位局１３では、代表中位局１４−１、中位局１２−１との間の回線に障害が発生した場合であっても当該代表中位局１４−１、中位局１２−１が収集した情報を確実に受信し、当該地域全体の災害状況を把握することが可能になる。
【００３５】
また、上位局１３自体に何等かの障害あるいは故障が発生したとしても、代表中位局１４−１が管轄下の中位局１２−１、１２−２に対し隣接地域の状況を配信することができる。
【００３６】
図４は、中位局および代表中位局の内部の情報集配信装置１２１に障害が発生し、当該中位局および代表中位局が管轄する地域の災害状況等の情報を参照できなくなった場合のバックアップ体制を示す説明図である。
【００３７】
情報集配信装置１２１に障害が発生した場合、情報表示端末１２３が動作可能であれば、太実線で示す経路で上位局１３に収集されている災害情報を参照し、全体地域または隣接地域の災害状況を把握することができる。
【００３８】
同様に、図５において、上位局１３の内部の情報集配信装置１３１や情報処理装置１３３に障害が発生し、当該上位局１３が管轄する地域の災害状況等の情報を参照できなくなった場合、情報表示端末１３４が動作可能であれば、図５に太実線で示す経路で中位局（または代表中位局）１２−１に収集されている災害情報を参照し、中位局単位または代表中位局での災害状況を把握することができる。
【００３９】
したがって、以上の構成によれば、回線等に障害が発生した場合でも、必要最低限の設備で全体の状況や隣接地域の状況を把握することができる。
【００４０】
ところで、上記構成において上位局１３または代表中位局１４−１〜１４−ｍは、管轄下の代表中位局および中位局、または下位局から収集した情報を集計し、その集計結果を定期的に送信する機能を備えているが、上位局自体または代表中位局自体に何等かの障害が発生した場合、その管轄下の代表中位局および中位局、または下位局では上位からの処理結果を把握することができない。
【００４１】
このような場合、管轄下の代表中位局および中位局、または下位局の担当者は上位に対してその都度問い合わせを行う必要が生じ、担当者の負担が増加してしまう。特に、災害発生時にこのような負担が生じるのは、他の連絡作業の障害になり、好ましくない。
【００４２】
そこで、図６に示すような処理を代表中位局または中位局に付加する。すなわち、上位からの受信待ちの状態になったならば（ステップ６０１）、自局の上位からの処理結果を所定時間間隔以内で受信しているか否かを判断し（ステップ６０２）、受信していなければ、上位（代表中位局であれば上位局、中位局であれば代表中位局）に対して最新の集計結果の再送要求を送信する（ステップ６０３）。
【００４３】
そして、その再送要求にもかかわらず上位から何等の応答もなければ（ステップ６０４）、未受信メッセージを作成し（ステップ６０５）、この後、ファイリング処理を行い（ステップ６０６）、さらに自局の表示端末に表示要求を送出して表示させると共に（ステップ６０７）、管轄下の下位局（代表中位局であれば中位局、中位局であれば下位局）に送信する（ステップ６０８）。
【００４４】
しかし、再送要求に対して、最新の集計結果を受信できた場合、または所定時間間隔以内で最新の集計結果を受信している場合は、再送要求を行わず、直ちにファイリング処理に移る。
【００４５】
未受信メッセージを受信した下位局では、図７に示すように、受信待ちの状態で（ステップ７０１）、上位から最新の集計結果または未受信メッセージを受信したならば、その受信情報のファイリング処理を行い（ステップ７０２）、自局の表示端末に表示要求を送出して表示させる（ステップ７０３）。
【００４６】
受信したメッセージが最新の集計結果であった場合、例えば図８に示すような表示端末画面８０１の情報表示エリア８０２に表示させると共に、受信状態表示エリア８０３に「定期受信正常」といったメッセージ８０４を表示させる。
【００４７】
しかし、受信メッセージが未受信メッセージであった場合、例えば図９に示すような表示端末画面８０１の情報表示エリア８０２には何等表示せず、受信状態表示エリア８０３に「上位からの情報は未受信です」といったメッセージ８０５を表示させる。
【００４８】
このようにして自局の上位から定期的に送信される集計結果等の情報が所定時間間隔以内で受信できなかった場合には、未受信メッセージを管轄下の下位局に送信して表示させることにより、下位局において上位に対する担当者による問い合わせ作業を行う必要がなくなり、担当者の負担が軽減する。
【００４９】
【発明の効果】
以上のように本発明によれば、回線等に障害が発生した場合または各装置に障害が発生した場合でも、必要最低限の設備で全体の状況や隣接地域の状況を把握することができる。
【００５０】
また、自局の上位から定期的に送信される集計結果等の情報が所定時間間隔以内で受信できなかった場合には、未受信メッセージを管轄下の下位局に送信して表示させることにより、下位局において上位に対する担当者による問い合わせ作業を行う必要がなくなり、担当者の負担を軽減することができる。
【図面の簡単な説明】
【図１】この発明を適用した階層型情報集配信システムの一実施の形態を示す構成図。
【図２】中位局（代表中位局）および上位局の概略構成図。
【図３】第１の集配信経路または第２の集配信経路に障害が発生した場合のバックアップ体制を示す説明図。
【図４】中位局の内部の情報集配信装置に障害が発生した場合のバックアップ体制を示す説明図。
【図５】上位局の内部に障害が発生した場合のバックアップ体制を示す説明図。
【図６】上位局からの情報が定期的に受信されているかを判定する処理を示すフローチャート。
【図７】上位局からメッセージを受信した場合の処理を示すフローチャート。
【図８】上位局から情報を定期的に正常に受信した場合の表示画面例を示す図。
【図９】上位局からの情報を定期的に受信しなかった場合の表示画面例を示す図。
【図１０】従来システムの構成図。
【符号の説明】
１１    情報収集装置
１２−１〜１２−ｎ    中位局
１３    上位局
１４−１〜１４−ｍ    代表中位局
１５    下位局
ａ      第１の集配信経路
ｂ      第２の集配信経路
１２１    情報集配信装置
１２２    災害情報データベース
１２３    情報表示端末
１２４    ルータ
１３１    情報集配信装置
１３２    災害情報データベース
１３３    情報処理装置
１３４    情報表示端末
１３５    ルータ
【図１】
0003824450.tif 000002
【図２】
0003824450.tif 000003
【図３】
0003824450.tif 000004
【図４】
0003824450.tif 000005
【図５】
0003824450.tif 000006
【図６】
0003824450.tif 000007
【図７】
0003824450.tif 000008
【図８】
0003824450.tif 000009
【図９】
0003824450.tif 000010
【図１０】
0003824450.tif 000011